(57)【要約】      （修正有）【課題】燃焼ガス熱の五徳からの放熱を抑制し、熱効率を向上させるガスコンロを提供する。【解決手段】五徳リング２１を、調理容器と対面する表板２１ａと、汁受皿およびトッププレートと対面する裏板２１ｂとによる２重構造とする。この表板２１ａと裏板２１ｂとは、外周端部全周と内周端部全周とにおいて、それぞれ断熱材としてのセラミック２１ｅを挟着して、外周端部および内周端部それぞれ４箇所においてかしめ固定される。このような構成により、表板２１ａと裏板２１ｂとの間に形成された隙間が断熱層として働き、表板２１ａに伝熱したバーナ燃焼ガス熱は外部に放熱しない。従って、バーナの燃焼熱を効率よく調理容器に伝えて、熱効率を向上させることができる。【選択図】図１
2008275314.tif 000002
【特許請求の範囲】
【請求項１】
調理容器を加熱するバーナと、
上記炎口の上方周囲に位置するように設けられ、調理容器を載置する複数の五徳爪を五徳リングに立設して構成される五徳と
を備え、
上記調理容器と上記五徳リングとの間に上記バーナの燃焼ガスの通過流路を形成したガスコンロにおいて、
上記五徳リングの裏面からの放熱を抑制する放熱抑制手段を備えたことを特徴とするガスコンロ。
【請求項２】
上記放熱抑制手段として、上記五徳リングを、上記調理容器底面と対面して上記燃焼ガス通路側となる表板と、該バーナの燃焼ガスと直接接触しない裏板とを所定の間隔をあけて略平行に向かい合わせた二重構造としたことを特徴とする請求項１記載のガスコンロ。
【請求項３】
上記表板と上記裏板との間に、内周端部および外周端部全周にわたって断熱材を挟着することを特徴とする請求項２記載のガスコンロ。
【請求項４】
上記表板と上記裏板との間は、真空状態であることを特徴とする請求項２または請求項３記載のガスコンロ。
【請求項５】
上記表板と上記裏板とを、断熱材を介して重ね合わせることを特徴とする請求項２記載のガスコンロ。 
【請求項６】
上記五徳は、燃焼用空気を強制的に給排気する強制燃焼式バーナを備えたガスコンロに用いられ、上記表板は調理容器底面と対面して上記強制燃焼式バーナの燃焼ガス通路を形成することを特徴とする請求項１ないし請求項５記載のガスコンロ。
【発明の詳細な説明】
【技術分野】
【０００１】
本発明は、調理容器を五徳上に載置してバーナで加熱調理するガスコンロに関する。
【背景技術】
【０００２】
従来から、ガスコンロの分野においては、図１０、図１１に示すようにトッププレート１２に設けられる開口の中央位置にバーナ１４が配置され、その周囲に汁受皿１８が載置されるものが知られている。調理容器Ｐは、バーナ１４の上方周囲に設けられた五徳２０に載置され、バーナ１４の燃焼により加熱される。
【０００３】
五徳２０は、調理容器Ｐを載置する複数の五徳爪２２と各五徳爪２２の基盤となる五徳リング２１とにより一体的に構成され、トッププレート１２上に載置される。
五徳リング２１の内周側には、リング中心に向かって下向きに傾斜した傾斜鍔部（以下、単に鍔部と呼ぶ）２１ｃが延設される。
この五徳リング２１とトッププレート１２との間、及び五徳リング２１と汁受皿１８との間には、二次空気供給用の隙間が形成される。
【０００４】
また、最近では、特許文献１に示すように、調理容器Ｐの加熱効率を向上させるため、五徳爪２２を低くしてバーナ１４と調理容器Ｐとの間隔を小さくしたガスコンロが実用化されている。
このガスコンロは、図９に示すように、五徳２０の鍔部２１ｃをバーナヘッド１６の主炎口１６ａ近傍まで延ばした構成により、二次空気を火炎の基部から先端にまで供給する。
そして、バーナ１４燃焼ガスを、調理容器Ｐと五徳リング２１との間の隙間から外部に放出する構成としている。
この構造により、燃焼性能を良好に維持したまま、五徳爪２２の高さを低くして調理容器Ｐをバーナヘッド１６に接近させるとともに、五徳リング２１によってバーナ１４の燃焼ガスの拡散を防いで、高温の燃焼ガスと調理容器Ｐとを確実に接触させて、調理容器Ｐの加熱効率を上げることができる。
【特許文献１】特開２００３−１６１４４９
【発明の開示】
【発明が解決しようとする課題】
【０００５】
しかしながら、このようなガスコンロでは、五徳リング２１によって高温の燃焼ガスの拡散を防止した構造としているために、五徳リング２１の温度は著しく上昇してしまう。その結果、五徳リング２１を通して燃焼ガス熱が放熱してしまうという問題があった。
【０００６】
また、バーナ１４に燃焼用空気を強制的に給気したり、バーナ１４の燃焼ガスを強制的に排気する強制燃焼式のガスコンロにおいては、バーナ１４と調理容器Ｐとの間の距離をさらに短くすることができ、熱効率を向上させることができる一方、五徳リング２１表面を高温の燃焼ガスが通過することから、五徳リング２１裏面から外部へ放熱されてしまう熱の割合はいっそう増加していた。そのため、所望の熱効率を得るまでには至っていなかった。
【０００７】
そこで本発明では、ガスコンロにおいて上記課題を解決し、燃焼ガス熱の五徳からの放熱を抑制し、熱効率を向上させることを目的とする。
【課題を解決するための手段】
【０００８】
上記課題を解決する本発明の請求項１記載のガスコンロは、調理容器を加熱するバーナと、
上記炎口の上方周囲に位置するように設けられ、調理容器を載置する複数の五徳爪を五徳リングに立設して構成される五徳と
を備え、
上記調理容器と上記五徳リングとの間に上記バーナの燃焼ガスの通過流路を形成したガスコンロにおいて、
上記五徳リングの裏面からの放熱を抑制する放熱抑制手段を備えたことを要旨とする。
【０００９】
また、上記課題を解決する本発明の請求項２記載のガスコンロは、上記請求項１記載のガスコンロにおいて、上記放熱抑制手段として、上記五徳リングを、上記調理容器底面と対面して上記燃焼ガス通路側となる表板と、該バーナの燃焼ガスと直接接触しない裏板とを所定の間隔をあけて略平行に向かい合わせた二重構造としたことを要旨とする。
【００１０】
また、上記課題を解決する本発明の請求項３記載のガスコンロは、上記請求項２記載のガスコンロにおいて、上記表板と上記裏板との間に、内周端部および外周端部全周にわたって断熱材を挟着することを要旨とする。
【００１１】
また、上記課題を解決する本発明の請求項４記載のガスコンロは、請求項２または請求項３記載のガスコンロにおいて、上記表板と上記裏板との間は、真空状態であることを要旨とする。
【００１２】
また、上記課題を解決する本発明の請求項５記載のガスコンロは、請求項２記載のガスコンロにおいて、上記表板と上記裏板とを、断熱材を介して重ね合わせることを要旨とする。
【００１３】
また、上記課題を解決する本発明の請求項６記載のガスコンロは、請求項１ないし請求項５記載のガスコンロにおいて、上記五徳は、燃焼用空気を強制的に給排気する強制燃焼式バーナを備えたガスコンロに用いられ、上記表板は調理容器底面と対面して上記強制燃焼式バーナの燃焼ガス通路を形成することを要旨とする。
【発明の効果】
【００１４】
上記構成を有する本発明の請求項１記載のガスコンロによれば、放熱抑制手段が、五徳リングの裏面からの放熱を抑制する。
そのため、調理容器と五徳リングとの間を通過するバーナ燃焼ガスの、五徳リング裏面からの放熱が抑制され、バーナ燃焼ガスの温度低下を防止することができる。
従って、バーナの燃焼ガス熱を調理容器の加熱に有効に用いることができ、熱効率を向上させることができる。
また、五徳からの放熱による調理環境の悪化を抑制することができる。
【００１５】
また、上記構成を有する本発明の請求項２記載のガスコンロによれば、五徳リングを高温のバーナ燃焼ガスと直接接触する表板と、バーナ燃焼ガスとは直接接触しない裏板とによる２重構造としたために、表板と裏板との間に隙間が形成される。そのため、隙間が断熱層として働き、表板に伝熱したバーナ燃焼ガス熱の外部への放熱を抑制し、バーナ燃焼ガスの温度低下を防止することができる。従って、バーナの燃焼ガス熱を調理容器の加熱に有効に用いることができ、熱効率を向上させることができる。
また、五徳からの放熱による調理環境の悪化を抑制することができる。
【００１６】
また、本発明請求項３記載のガスコンロによれば、五徳リングの内周端部および外周端部全周にわたって、表板と裏板との間に断熱材を挟着することによって、表板に伝熱した燃焼ガス熱が、内周及び外周端部より裏板へ伝熱することを抑制することができる。
従って、表板に伝熱したバーナ燃焼ガス熱の裏板への伝熱をより確実に抑制することができる。
そのため、熱効率をいっそう向上させることができるとともに、調理環境の悪化を抑制することができる。
【００１７】
また、本発明請求項４記載のガスコンロによれば、表板と裏板との間が真空状態としたために、真空部が断熱層として作用する。
真空状態においては、表板と裏板との間には分子が存在しないために、分子間の熱移動が起こらない。そのため、確実に断熱できる。
したがって、バーナ燃焼ガス熱の外部への放出を一層確実に抑制し、熱効率を向上させることができるとともに、調理環境の悪化を抑制することができる。
【００１８】
また、本発明請求項５記載のガスコンロによれば、断熱材が表板と裏板との間に挟みこまれるために、表板に伝熱したバーナ燃焼ガス熱は、断熱材によって断熱される。
したがって、バーナ燃焼ガス熱の外部への放出を確実に抑制し、熱効率を向上させることができるとともに、調理環境の悪化を抑制することができる。
また、表板と裏板との間には、空洞が形成されないために、五徳リングの強度を向上させることができる。
【００１９】
また、本発明請求項６記載のガスコンロによれば、燃焼用空気が強制的に給排気されるとともに、バーナの燃焼ガスを調理容器と五徳リング表面との間に形成された燃焼ガス通路から外部に放出するガスコンロにおいて、放熱抑制手段が、五徳リング裏面からの放熱を抑制する。
燃焼用空気が強制的に給気される強制燃焼式ガスコンロは、燃焼用空気を自然ドラフト力により供給する自然燃焼式ガスコンロと比較して、燃焼空間を狭くして調理容器への伝熱効率を向上させることができる。しかしながら、この場合、五徳に接触するバーナ燃焼ガスの燃焼ガス熱についても高温となるために、五徳を通して外部に放熱されてしまう熱の割合はいっそう大きくなってしまう。
本発明では、燃焼ガス通路を形成する五徳リングの裏面からの放熱を抑制する放熱抑制手段を設けたために、燃焼ガス熱の五徳からの放熱を抑制することができる。
このように、燃焼ガス熱の高温となるガスコンロにおいて、放熱抑制手段を備えた五徳は断熱効果をいっそう奏する。
【発明を実施するための最良の形態】
【００２０】
以上説明した本発明の構成、作用を一層明らかにするために、以下、本発明のガスコンロにおける好的な実施例について説明する。
尚、従来例と重複する点については同一符号を付して説明を省略する。
【実施例１】
【００２１】
ガスコンロとしてのテーブルコンロは、図３、図４に示すようにトッププレート１２に開口が設けられ、その開口の中央位置にバーナ１４が配置され、開口外周縁に汁受皿１８が載置される。調理容器Ｐは、汁受皿１８の上方に設けられる五徳２０に載置される。
【００２２】
バーナ１４は、中央に開口部が形成されて環状混合気室を有するバーナ本体１５と、バーナ本体１５に載置することにより外周縁に多数の主炎口を形成するバーナヘッド１６とからなる。
【００２３】
五徳２０は、図１、図２に示すように、調理容器Ｐを載置する複数の五徳爪２２と、トッププレート１２の開口と汁受皿１８との重ね部上部を覆うと共に五徳爪２２を立設する基盤となる五徳リング２１と、五徳２０本体をトッププレート１２上に固定するための突起部２３とにより一体的に構成される。
【００２４】
五徳リング２１はリング板状であり、二次空気を下方からバーナ炎口付近に案内するとともに、調理容器Ｐ底面との間に通過流路を形成して、燃焼ガスを外側へ導く。
五徳リング２１は、調理容器Ｐと対面する表板２１ａと、汁受皿１８およびトッププレート１２と対面する裏板２１ｂとから形成される２重構造である。
この表板２１ａ、裏板２１ｂは、それぞれ外周側において表板水平面部２１ｇ、裏板水平面部２１ｈを有するとともに、内周側において、リング中心に向かって下向きに傾斜した表側傾斜鍔部２１ｃ、裏側傾斜鍔部２１ｄ（以下、表側鍔部２１ｃ、裏側鍔部２１ｄと呼ぶ）が延設される。
鍔部２１ｃ、２１ｄの先端は、バーナ１４炎口の外周面と接近させ、しかも、鍔部２１ｃ、２１ｄの傾斜角度は、バーナ１４の主炎口１６ａにおけるガスの噴出角度とほぼ平行に形成する。
また、この表板２１ａと裏板２１ｂとは、外周端部全周と内周端部全周とにおいて、それぞれ断熱材としてのセラミック２１ｅを挟着して、外周端部および内周端部それぞれ４箇所においてかしめ固定される。
【００２５】
五徳爪２２は、Ｌ字形状であり、固定部２２ａと調理容器載置部２２ｂとからなる。
固定部２２ａは、下端において表板２１ａに溶接固定され、調理容器載置部２２ｂは、固定部２２ａ上部から五徳リング２１中心に向かって略水平に延びている。
また、突起部２３は、２段形状であり、上端において裏板２１ｂに溶接固定されると共に、最下端の小突起２３ａのみがトッププレート１２の孔にはめ込まれる。この突起部２３の段差により、裏板２１ｂとトッププレート１２との間に二次空気供給用の隙間が形成される。
【００２６】
このテーブルコンロ１は、五徳リング２１における鍔部２１ｃ、２１ｄの先端を主炎口１６ａに接近して延設したために、バーナ１４の燃焼時においては、図４に示すように、燃焼用二次空気が裏板２１ｂとトッププレート１２との間から裏側鍔部２１ｄと汁受皿１８との間を通って主炎口１６ａ近傍に導かれる。この結果、二次空気が火炎の基部から先端まで全体にわたって供給されて、燃焼性能が向上する。つまり、五徳爪２２を低くして調理容器Ｐの載置面をバーナ１４に近づけて調理容器Ｐへの加熱効率の向上を図っても、燃焼性能を良好に維持することができる構造のものである。
また、主炎口１６ａに形成された火炎の燃焼ガスは、五徳リング２１の表板２１ａと調理容器Ｐの間の隙間を通って外部に排出される。ここで、五徳爪２２を低くして表板２１ａと調理容器Ｐとの間隔を狭く形成しているために、高温の燃焼ガスは、調理容器Ｐになめるようにして通過する。従って、調理容器Ｐはバーナ１４燃焼ガスと効率よく接触して加熱される。
なお、二次空気の供給は、五徳リング２１の裏板２１ｂとトッププレート１２との間に形成した隙間から行う構造のものに限らずに、例えば、汁受皿１８に二次空気供給用の孔を形成して行う構造のものについても適用でき、この場合も同様の効果が得られる。
【００２７】
さらに、このような五徳リング２１と調理容器Ｐとを対面させて燃焼ガス通路を形成する五徳２０において、五徳リング２１を高温の燃焼ガスと直接接触する表板２１ａと、バーナ燃焼ガスとは直接接触しない裏板２１ｂとによる２重構造としたために、表板２１ａと裏板２１ｂとの間に形成された隙間が断熱層として働き、表板２１ａに伝熱したバーナ１４燃焼ガスの熱は裏面から放熱しない。
また、五徳リング２１の内周端部および外周端部全周にわたって、表板２１ａと裏板２１ｂとの間にセラミック２１ｅを挟着し、表板２１ａと裏板２１ｂとの連結部（かしめ固定部）を内周端部、外周端部それぞれ４箇所としたために、表板２１ａに伝熱した燃焼ガス熱が、内周及び外周端部より裏板２１ｂへ伝熱することを抑制することができる。従って、表板２１ａに伝熱したバーナ燃焼ガス熱の裏板２１ｂへの伝熱を確実に抑制することができる。
なお、この連結部の面積は、小さいほど断熱効果が得られる。例えば、表板２１ａおよび裏板２１ｂをそれぞれセラミック２１ｅに接着して、表板２１ａと裏板２１ｂとの連結面積を０とした場合には、いっそうの効果が得られる。
このような構造により、バーナ１４燃焼ガスの温度低下を防止することができ、バーナ１４の燃焼ガス熱を調理容器Ｐの加熱に有効に用いることができる。
これにより、熱効率を向上させることができるとともに、五徳２０からの放熱による調理環境の悪化を抑制することができる。
【実施例２】
【００２８】
次に実施例２のテーブルコンロについて図５を用いて説明する。
尚、実施例１と異なる部分について説明し、重複する部分に関しては同一符号を付してその説明を省略する。
【００２９】
実施例２のテーブルコンロ１ｂは、燃焼用空気を強制的に供給して燃焼を行う強制燃焼式バーナの上方周囲に、実施例１で説明した２重構造の五徳２０を設けたものである。
【００３０】
このバーナ１４ａは、燃焼に必要な空気の殆どを一次空気として吸入する全一次空気式のバーナであり、燃焼面としてのバーナプレート１７と、バーナ本体１５とを備える。
バーナプレート１７は、多孔質セラミックスの平面プレートで多数の貫通孔を有している。
バーナ本体１５は、上流端において、燃焼用空気を供給するための給気ファン３１が接続されて、空気供給通路の途中に、燃料ガスを噴出するガスノズル３２が設けられる。また、ガスノズル３２の下流には、燃料ガスと燃焼用空気とを混合させるための混合管１５ａが形成される。
なお、五徳２０の裏板２１ｂとトッププレート１２との間には、実施例１のテーブルコンロ１において形成された２次空気供給用の隙間は形成されない。
【００３１】
バーナ１４ａ燃焼時には、バーナ本体１５に、ガスノズル３２から燃料ガスが供給されるとともに、給気ファン３１により一次空気が強制的に供給される。
そして、バーナプレート１７上で燃焼後、燃焼ガスは表板２１ａと調理容器Ｐの間の隙間を通って外部に排出される。
【００３２】
このように、燃焼用空気を強制的に供給することにより、同じ燃焼量の場合でも、燃焼用空間を狭くして熱効率を向上させることができる。
つまり、燃焼用空気が自然ドラフト力に供給される場合には、燃焼用空間を狭くしてしまうとドラフト力が形成されず、燃焼空気の給気・排気がスムーズに行われないため、燃焼状態が悪化してしまうが、本実施例では燃焼用空気が空気ファン１３により強制的に供給されるために、燃焼用空間を狭くしても良好な燃焼状態を得ることができる。
このように、バーナ１４ａと調理容器Ｐとの距離を狭くすることができるために、いっそう熱効率を向上させることができる。
また、燃焼用空気供給用の隙間を設ける必要がないために、燃焼熱が二次空気供給用の隙間から逃げ出すことがない。
さらに、このようにバーナ燃焼ガス通路を五徳リング２１で形成した場合には、五徳リング２１が高温となり、五徳リング２１からの外部への放熱量が多くなってしまうが、五徳リング２１を表板２１ａと裏板２１ｂとによる２重構造としたために、燃焼ガスの五徳からの外部への放熱を抑制することができる。つまり、燃焼ガス熱の高温となるガスコンロにおいて、二重構造とした五徳は断熱効果をいっそう奏する。
【実施例３】
【００３３】
次に実施例３のテーブルコンロについて説明する。
尚、実施例２と異なる部分について説明し、重複する部分に関しては同一符号を付してその説明を省略する。
実施例３のテーブルコンロは、調理容器を載置する五徳爪の形状について、図１２〜図１４に示すように上方から見て渦巻き形状としたものである。
【００３４】
この五徳２０ａは、五徳リング２１と五徳爪２２と突起部２３とからなり、五徳リング２１と突起部２３とは、実施例１、２と同様の形状である。
【００３５】
五徳爪２２は、調理容器載置部２２ｃと傾斜部２２ｄとを備え、図１３に示すように、上方から見て、五徳リング２１内周側から外周側に向かって渦巻き状に形成される。この五徳爪２２は、下端部全面において表板２１ａと溶接固定される。
傾斜部２２ｄは、五徳爪２２における内周側に形成されて、上端面が中心方向から外周方向に向かって高くなるように傾斜が設けられる。
五徳爪２２ｄの外周側には、調理容器載置部２２ｃが位置する。調理容器載置部２２ｃの上端面は水平に形成される。 
この調理容器載置部２２ｃの上端面に、図１５に示すように、調理容器Ｐが載置されて、調理容器載置部２２ｃと調理容器Ｐ底面と表板２１ａとで囲まれる複数の区画された燃焼ガス通路を形成するように構成される。
【００３６】
このテーブルコンロ１ａでは、五徳爪２２を渦巻き形状としたために、バーナ１４の燃焼ガス流は、五徳爪２２に沿って渦状に形成される。
そのため、燃焼ガスが外部に排出される前に、その熱を調理容器Ｐに有効に伝熱させることができる。
またこの場合、燃焼ガスから五徳リング２１への伝熱効率も向上するために、表板２１ａの温度についても上昇してしまうが、五徳リング２１を２重構造としたために、五徳リング２１の裏面から燃焼ガス熱が放熱してしまうことがない。そのため、熱効率の向上効果をいっそう得ることができる。
【００３７】
さらに、五徳爪２２における内周側に傾斜部２２ｄを設けて、五徳爪２２がバーナ火炎の形成される領域内に入らないようにしたために、五徳爪２２が火炎にあぶられることがない。そのため、火炎が低温の五徳爪２２と接触することによる燃焼性の悪化や、熱効率の低下を招くことがない。
【実施例４】
【００３８】
次に実施例４のテーブルコンロについて説明する。
尚、実施例１と異なる部分について説明し、重複する部分に関しては同一符号を付してその説明を省略する。
実施例４のテーブルコンロは、図６に示すように、表板２１ａと裏板２１ｂとの間の空間に、断熱材としてのセラミックウール２１ｆを隙間なく挟着した構造としたものである。
【００３９】
このような構造により、表板２１ａに伝熱したバーナ燃焼ガス熱は、セラミックウール２１ｆによって断熱される。
したがって、バーナ燃焼ガス熱の外部への放出を確実に抑制し、熱効率を向上させることができるとともに、調理環境の悪化を抑制することができる。
また、表板２１ａと裏板２１ｂとの間にセラミックウール２１ｆを詰めて空洞を形成しない構成としたために、五徳リング２１の機械的強度を向上させることができる。
さらに、断熱材としてセラミックウール２１ｆを用いたために、セラミックウール２１ｆは緩衝材としても働き、五徳２０上に加わった衝撃や振動を吸収する。このため、五徳２０をうっかり落としてしまった場合など、五徳２０上に衝撃が加わった場合であっても強度を保持することができるとともに、振動による騒音を抑制することができる。
【実施例５】
【００４０】
次に実施例５のテーブルコンロについて説明する。
尚、実施例１と異なる部分について説明し、重複する部分に関しては同一符号を付してその説明を省略する。
実施例５のテーブルコンロは、五徳について、表板と裏板との間の空間を真空状態としたものである。
【００４１】
この五徳について、図７、図８を用いて説明する。
この五徳２０ｃは、五徳リング２１と五徳爪２２と突起部２３とからなり、五徳爪２２と突起部２３とは、実施例１と同様の形状である。
【００４２】
五徳リング２１は、調理容器Ｐと対面する表板２１ａと、汁受皿１８およびトッププレート１２と対面する裏板２１ｂとによる２重構造である。
この表板２１ａ、裏板２１ｂは、それぞれ外周側において水平面部２１ｇ、２１ｈを有するとともに、内周側において鍔部２１ｃ、２１ｄが延設される。
そして、内周端全周と外周端全周とにおいて、それぞれ内側に折曲した絞り部２１ｉ、２１ｊおよび内周方向および外周方向に突出した溶接代２１ｋ、２１ｌが、表板２１ａと裏板２１ｂとのそれぞれに形成される。
また、裏板２１ｂの下面には、表板２１ａと裏板２１ｂとの間を真空状態とするための吸引口Ｈが形成される。
【００４３】
この表板２１ａと裏板２１ｂとは、溶接代２１ｋ、２１ｌにおいて溶接接合される。
そして、吸引口Ｈより吸引排気をした後、吸引口Ｈを蓋体Ｓにより閉塞して、蓋体Ｓを裏板２１ｂにろう接接合する。このろう接接合は、表板２１ａと裏板２１ｂとの間の真空度を所定範囲に保ちながら、接合するために採用されるものである。
【００４４】
このように、表板２１ａと裏板２１ｂとの間を真空状態としたために、真空部が断熱層として作用する。
真空状態においては、表板２１ａと裏板２１ｂとの間に分子が存在しないために、分子間の熱移動が起こらない。
したがって、バーナ燃焼ガス熱の外部への放出を一層確実に抑制し、熱効率を向上させることができるとともに、調理環境の悪化を抑制することができる。
【００４５】
以上、本発明の実施例について説明したが、本発明は、こうした実施形態に何ら限定されるものではなく、本発明の要旨を逸脱しない範囲において種々なる形態で実施しうることはもちろんである。
例えば、各実施例におけるバーナの種類と五徳との組み合わせは任意に行うことができ、実施例に限定するものではない。例えば、実施例５の五徳を実施例３
の強制燃焼式バーナを備えたガスコンロに適用してもよい。
また、バーナの種類は、実施例として挙げたものに限定しない。例えば、内炎口バーナについても同様の効果が得られる。また、実施例２、３では、強制燃焼式バーナとして、全一次バーナについて説明をしたが、ブンゼンバーナ・セミブンゼンバーナ・赤火式バーナにおいても効果が得られる。
さらに、実施例１〜４では、断熱材としてセラミック、セラミックウールを用いたが、耐熱性、断熱性を有する材質であればよく、セラミックやセラミックウールに限定しない。
また、表板と裏板との固定方法は、かしめ固定に限定しないし、内周および外周端部それそれ４箇所に限定しない。
【産業上の利用可能性】
【００４６】
本発明は、テーブルガスコンロおよびキッチンユニットに組込まれるビルトインガスコンロ等の種々のガスコンロに適応することができる。
【図面の簡単な説明】
【００４７】
【図１】本発明実施例１の五徳を示した断面図である。
【図２】本発明実施例１の五徳を示した説明図である。
【図３】本発明実施例のテーブルコンロを示した説明図である。
【図４】本発明実施例１のテーブルコンロを示した説明図である。
【図５】本発明実施例２のテーブルコンロを示した説明図である。
【図６】本発明実施例４の五徳を示した断面図である。
【図７】本発明実施例５の五徳を示した断面図である。
【図８】本発明実施例５の五徳を示した説明図である。
【図９】従来のテーブルコンロを示した説明図である。
【図１０】従来のテーブルコンロを示した説明図である。
【図１１】従来のテーブルコンロを示した説明図である。
【図１２】本発明実施例３の五徳を示した説明図である。
【図１３】本発明実施例３の五徳を示した上面図である。
【図１４】本発明実施例３の五徳を示した断面図である。
【図１５】本発明実施例３のテーブルコンロを示した断面図である。
【符号の説明】
【００４８】
１  テーブルコンロ
Ｐ  調理容器
Ｈ  吸引口
Ｓ  蓋体
１２  トッププレート
１４  バーナ
１５  バーナ本体
１６  バーナヘッド
１７  バーナプレート
１８  汁受皿
２０  五徳
２１  五徳リング
２２  五徳爪
２３  突起部
２１ａ  表板
２１ｂ  裏板
２１ｃ  表側鍔部
２１ｄ  裏側鍔部
２１ｅ  セラミック
２１ｆ  セラミックウール
２１ｇ  裏側水平面部
２１ｈ  表側水平面部
２１ｉ  絞り部
２１ｋ  溶接代
２２ｃ  調理容器載置部
２２ｄ  傾斜部
【図１】
2008275314.tif 000003
【図２】
2008275314.tif 000004
【図３】
2008275314.tif 000005
【図４】
2008275314.tif 000006
【図５】
2008275314.tif 000007
【図６】
2008275314.tif 000008
【図７】
2008275314.tif 000009
【図８】
2008275314.tif 000010
【図９】
2008275314.tif 000011
【図１０】
2008275314.tif 000012
【図１１】
2008275314.tif 000013
【図１２】
2008275314.tif 000014
【図１３】
2008275314.tif 000015
【図１４】
2008275314.tif 000016
【図１５】
2008275314.tif 000017